(57)【要約】【課題】新たに入出力手段を備えることなく、容易かつ確実に、接続相手である無線通信機器を特定することができる無線通信機器を提供すること。【解決手段】本発明にかかる無線通信接続方法は、携帯電話１０１とヘッドセット２０１との間における無線通信接続方法である。携帯電話１０１において問い合わせ信号を送信するステップと、認証用音声信号を音により出力するステップを備えている。ヘッドセット２０１において問い合わせ信号を受信するステップと、音を入力するステップと、音を音声信号に変換し、音声信号と認証用音声信号を比較することにより、携帯電話１０１との接続を認証するステップと、認証ステップの結果が認証成功の場合に、携帯電話１０１へ応答信号を送信するステップを備えている。携帯電話１０１において応答信号を受信し、ヘッドセット２０１との無線通信接続を確立するステップを備えている。【選択図】  図１
2005020220.tif 000002
【特許請求の範囲】
【請求項１】
第１の無線通信機器と第２の無線通信機器との間における無線通信接続方法であって、
前記第１の無線通信機器から問い合わせ信号を前記第１の無線通信機器に対して送信するステップと、
前記第２の無線通信機器が前記第１の無線通信機器から送信された問い合わせ信号を受信するステップと、
前記第１の無線通信機器からあらかじめ登録された認証用音声信号を前記第２の無線通信機器に対して音により出力するステップと、
前記第２の無線通信機器が前記第１の無線通信機器より出力された音を入力するステップと、
前記第２の無線通信機器において、前記音を音声信号に変換し、前記音声信号とあらかじめ登録された認証用音声信号を比較することにより、前記第１の無線通信機器との接続を認証するステップと、
前記第２の無線通信機器が、前記認証ステップの結果が認証成功の場合に、前記第１の無線通信機器へ応答信号を送信するステップと、
前記第１の無線通信機器が前記応答信号を受信し、前記第２の無線通信機器との無線通信接続を確立するステップを備えた無線通信接続方法。
【請求項２】
前記第１の無線通信機器は、前記問い合わせ信号の送信と、前記音の出力を並列して実行することを特徴とする請求項１記載の無線通信接続方法。
【請求項３】
前記第２の無線通信機器は、前記問い合わせ信号の受信と、第１の無線通信機器との接続の認証を並列して実行することを特徴とする請求項１記載の無線通信接続方法。
【請求項４】
前記第１の無線通信機器における前記音の出力ステップは、音声通信の音声を出力するステップであり、
前記第２の無線通信機器における前記音の入力ステップは、音声通信の音声を入力するステップであることを特徴とする請求項１記載の無線通信接続方法。
【請求項５】
第１の無線通信機器と第２の無線通信機器との間における無線通信接続方法であって、
前記第１の無線通信機器からあらかじめ登録された認証用音声信号を前記第２の無線通信機器に対して音により出力するステップと、
前記第２の無線通信機器が前記第１の無線通信機器より出力された音を入力するステップと、
前記第２の無線通信機器において、前記音を音声信号に変換し、前記音声信号とあらかじめ登録された認証用音声信号を比較することにより、前記第１の無線通信機器との接続を認証するステップとを備えた無線通信接続方法。
【請求項６】
接続要求先の無線通信機器に対し、無線通信の接続を要求する接続要求元の無線通信機器であって、
前記接続要求元の無線通信機器は、問い合わせ信号を前記接続要求先の無線通信機器へ送信する送信手段と、あらかじめ登録された認証用音声信号を前記接続要求先の無線通信機器へ音により出力する出力手段を有し、
前記接続要求元の無線通信機器は、さらに前記接続要求先の無線通信機器から応答信号を受信し、前記接続要求先の無線通信機器との無線通信接続を確立する確立手段を備えた無線通信機器。
【請求項７】
接続要求元の無線通信機器から、無線通信の接続を要求される接続要求先の無線通信機器であって、
前記接続要求先の無線通信機器は、前記接続要求元の無線通信機器から問い合わせ信号を受信する受信手段と、前記接続要求元の無線通信機器から音を入力する入力手段と、前記音を音声信号に変換し、前記音声信号とあらかじめ登録された認証用音声信号を比較することにより、前記接続要求元の無線通信機器との接続を認証する認証手段と、前記認証手段の結果が認証成功の場合に、前記接続要求元の無線通信機器へ応答信号を送信する送信手段を備えた無線通信機器。
【発明の詳細な説明】
【０００１】
【発明の属する技術分野】
本発明は、無線通信機器とその無線通信接続方法に関する。
【０００２】
【従来の技術】
無線通信は、機器間をケーブルで接続する必要がなく、さらに、機器間に障害物があっても通信できるなどの利点があることから、通信速度の高速化や通信モジュールの小型化、省電力化など、近年、盛んに研究が進められている。
【０００３】
無線通信機器が無線を利用して別の無線通信機器と通信を行う場合は、まず、通信を行う相手を特定し、無線通信を行えるように互いに認識し合う必要がある。これは、多数の無線通信機器が存在する場合において、特定の無線通信機器とだけ通信する場合においては特に必要な手続きであり、また、通信の機密性やセキュリティー性を確保するために、パスワードや暗証番号などにより接続の認証を行って接続相手を限定するためには、なおさらに必要な手続きである。
【０００４】
この手続きの一つの方法として従来は以下のような方法が用いられている。まず、利用者が無線通信機器Ａと無線通信機器Ｂを互いに無線通信させる場合、無線通信接続を確立するために、無線通信機器Ａから無線通信機器Ｂに向けて問い合わせ信号を発信する。これは、例えば無線通信機器Ａに具備されたボタンを押すことにより開始される。この問い合わせ信号は、近隣に存在する無線通信機器を探し出す役割を持つ。この時、利用者は接続したい機器（無線通信機器Ｂ）をすでに特定している場合もあるが、無線通信機器Ａは、この段階では特定の無線通信機器だけに向けて問い合わせ信号を送るのではなく、電波の特性上、近傍に存在するすべての不特定の無線通信機に対して問い合わせ信号を発信している。そのため、その問い合わせ信号が届く範囲で、かつ、問い合わせ信号受け待ち状態にある単数または複数の無線通信機器が、その問い合わせ信号を受信する。
【０００５】
問い合わせ信号を受信した無線通信機器は、無線通信機器Ａに対し、応答信号を返すことで、自分の存在を示し、接続要求に対応できることを伝える。
【０００６】
単数または複数の無線通信機器からの応答信号を受信した無線通信機器Ａは、応答信号を送信してきた無線通信機器の中から、接続したい無線通信機器を選択し、その機器に対して接続要求信号を発信しなくてはならない。この時、無線通信機器Ａが受信する応答信号から得られる情報は応答した無線通信機器に固有の識別番号であったり、あるいは応答した無線通信機器の名称であったり、無線通信機器が該当するカテゴリー名であったりする。無線通信機器Ａは応答信号を受信した無線通信機器の一覧を、例えば液晶ディスプレイなどの表示装置（出力装置）を通じて利用者に開示する。利用者はその一覧を見て、ただ一つの無線通信機器が表示されている場合は、それが接続したい無線通信機器Ｂであるか確認する。複数の無線通信機器が表示されている場合はその中から接続したい無線通信機器Ｂを一つ選択する。この時利用者は、例えば、ボタンやタッチパネルなどの入力装置を用いて接続したい無線通信機器Ｂを指定する。それを受けて無線通信機器Ａは指定した無線通信機器Ｂに対して接続要求を行う。
【０００７】
このように、無線通信機器が、利用者にどの無線通信機器と接続するのかの指示を仰ぐ時や、利用者が接続したい無線通信機器を指定する時は、何らかの入力装置および出力装置が必要となる。これらは一般に入力装置であれば多数のキーで構成されるキーボードであったり、例えば携帯電話などでは数字キーであったり、ＰＤＡなどではスタイラスペンによるタッチパネル入力であったりする。出力装置としては液晶表示装置であったりする。しかしこれらの入出力装置を無線通信機器に組み込むということは、新たな構成部品の追加を必要とし、体積や重量の増加、コストアップを招いてしまう。また無線通信機器自体が非常に小型な形状を必要とされる場合は入力装置自体を組み込むことが物理的に不可能であり、入力手段を設けることができない。
【０００８】
また、入出力装置を具備した無線通信機器である場合に、例えば液晶画面に接続可能な複数の無線通信機器の一覧が表示されたとしても、表示される内容が無線通信機器固有の識別番号や装置のカテゴリ名であったり、同じ名称の無線通信機器が複数存在している場合などは、利用者がそれらの識別番号がどの無線通信機器を示しているかを判断することは困難であり、複数ある無線通信装置の中から適切な一台を選択することが難しくなる。さらに、一覧の中から、接続したい無線通信機器がどれであるか判断できたとしても、それを手持ちの無線通信機器Ａに指示するのは利用者であり、この操作が複雑で利用者が不便を感じることがあったり、また入力操作自体が利用者にとって面倒な操作であることも事実である。
【０００９】
尚、利用者の声や赤外線により、接続相手である無線通信機器を特定する技術が提案されている（例えば、特許文献１、２参照）。しかしながら、音声信号自体は相手の機器には出力されていない。
【００１０】
【特許文献１】
特開２００２−３３０１００号公報
【００１１】
【特許文献２】
特開２００２−１２５２６８号公報
【００１２】
【発明が解決しようとする課題】
このように、従来の無線通信機器では、接続相手である無線通信機器を特定するために、新たに入出力手段を備え、さらに、利用者が接続機器の選択操作をしなければならないという問題点があった。
【００１３】
本発明は、このような問題点を解決するためになされたもので、新たに入出力手段を備えることなく、容易かつ確実に、接続相手である無線通信機器を特定することができる無線通信機器を提供することを目的とする。
【００１４】
【課題を解決するための手段】
本発明にかかる無線通信接続方法は、第１の無線通信機器と第２の無線通信機器との間における無線通信接続方法であって、前記第１の無線通信機器から問い合わせ信号を前記第１の無線通信機器に対して送信するステップと、前記第２の無線通信機器が前記第１の無線通信機器から送信された問い合わせ信号を受信するステップと、前記第１の無線通信機器からあらかじめ登録された認証用音声信号を前記第２の無線通信機器に対して音により出力するステップと、前記第２の無線通信機器が前記第１の無線通信機器より出力された音を入力するステップと、前記第２の無線通信機器において、前記音を音声信号に変換し、前記音声信号とあらかじめ登録された認証用音声信号を比較することにより、前記第１の無線通信機器との接続を認証するステップと、前記第２の無線通信機器が、前記認証ステップの結果が認証成功の場合に、前記第１の無線通信機器へ応答信号を送信するステップと、前記第１の無線通信機器が前記応答信号を受信し、前記第２の無線通信機器との無線通信接続を確立するステップを備えるものである。これにより、複数の無線通信機器の中から特定の一台とのみ無線通信を行うことができる。
【００１５】
上述の無線通信接続方法において、第１の無線通信機器における前記問い合わせ信号の送信ステップと、前記音の出力ステップは、並列に実行してもよい。これにより、接続する無線通信機器をより確実に特定することができる。
【００１６】
上述の無線通信接続方法において、第２の無線通信機器における前記問い合わせ信号の受信ステップと、前記認証ステップは、並列に実行してもよい。これにより、接続する無線通信機器をより確実に特定することができる。
【００１７】
上述の無線通信接続方法において、第１の無線通信機器における前記音の出力ステップは、音声通信の音声を出力するステップであり、第２の無線通信機器における前記音の入力ステップは、音声通信の音声を入力するステップであってもよい。これにより、既存のスピーカやマイクを使用するため、新たな入出力手段を備える必要がなく、コストを低減することができる。
【００１８】
本発明にかかる無線通信機器は、第１の無線通信機器と第２の無線通信機器との間における無線通信接続方法であって、前記第１の無線通信機器からあらかじめ登録された認証用音声信号を前記第２の無線通信機器に対して音により出力するステップと、前記第２の無線通信機器が前記第１の無線通信機器より出力された音を入力するステップと、前記第２の無線通信機器において、前記音を音声信号に変換し、前記音声信号とあらかじめ登録された認証用音声信号を比較することにより、前記第１の無線通信機器との接続を認証するステップとを備えるものである。これにより、複数の無線通信機器の中から特定の一台とのみ無線通信を行うことができる。
【００１９】
一方、本発明にかかる無線通信機器は、接続要求先の無線通信機器に対し、無線通信の接続を要求する接続要求元の無線通信機器であって、前記接続要求元の無線通信機器は、問い合わせ信号を前記接続要求先の無線通信機器へ送信する送信手段と、あらかじめ登録された認証用音声信号を前記接続要求先の無線通信機器へ音により出力する出力手段を有し、前記接続要求元の無線通信機器は、さらに前記接続要求先の無線通信機器から応答信号を受信し、前記接続要求先の無線通信機器との無線通信接続を確立する確立手段を備えるものである。これにより、複数の無線通信機器の中から特定の一台とのみ無線通信を行うことができる。
【００２０】
他方、本発明にかかる無線通信機器は、接続要求元の無線通信機器から、無線通信の接続を要求される接続要求先の無線通信機器であって、前記接続要求先の無線通信機器は、前記接続要求元の無線通信機器から問い合わせ信号を受信する受信手段と、前記接続要求元の無線通信機器から音を入力する入力手段と、前記音を音声信号に変換し、前記音声信号とあらかじめ登録された認証用音声信号を比較することにより、前記接続要求元の無線通信機器との接続を認証する認証手段と、前記認証手段の結果が認証成功の場合に、前記接続要求元の無線通信機器へ応答信号を送信する送信手段を備えるものである。これにより、複数の無線通信機器の中から特定の一台とのみ無線通信を行うことができる。
【００２１】
【発明の実施の形態】
発明の実施の形態１．
まず、図１及び図２を用いて、本発明の実施の形態１にかかる無線通信機器の構成について説明する。本発明の実施の形態１は、例えば、携帯電話１０１と、携帯電話１０１の通話をハンズフリーで行うことを可能にするヘッドセット２０１との無線通信において実現される。
【００２２】
図１は、本発明の実施の形態１における携帯電話の構成図である。図に示されるように、携帯電話１０１は、電話機能制御部１０２、無線通信装置１０３、無線通信用アンテナ１０４、音声入力部１０７、音声認証部１０８、音声出力部１０９、ボタン１１０、スピーカ１１１及びマイク１１２を具備している。さらに、無線通信装置１０３は、通信制御部１０５、接続認証部１０６を備えている。この他にも、携帯電話１０１は、携帯電話機能を実現する上で必要なダイヤルボタンやフックボタン、電源スイッチ、携帯電話通信用アンテナ、表示部、電源部などを備えてもよい。
【００２３】
電話機能制御部１０２は、無線通信装置１０３、音声入力部１０７及び音声出力部１０９と接続されている。電話機能制御部１０２は、さらに、ダイヤルボタンや携帯電話通信用アンテナ等と接続されていてもよい。例えば、電話機能制御部１０２は、ＣＰＵやメモリ等を備えている。電話機能制御部１０２は、携帯電話による音声通話などの電話機能全般を制御する部分であり、通常の携帯電話に備わった電話に関する機能を有する部分である。また、電話機能制御部１０２は、携帯電話の基地局から通話相手の音声信号を受信すると、当該音声信号を無線通信で送信可能な音声データへ変換し、無線通信装置１０３へ出力したり、無線通信装置１０３から音声データを入力されると、音声信号に変換し、基地局へ送信したりする。
【００２４】
無線通信装置１０３は、電話機能制御部１０２、無線通信用アンテナ１０４、音声認証部１０８及びボタン１１０と接続されている。無線通信装置１０３は、携帯電話１０１とヘッドセット２０１の間の無線通信接続に関する制御を行う部分である。無線通信装置１０３に設けられた、通信制御部１０５は、フィルタ回路や変復調回路などを備え、無線通信における電波の制御などのハードウェア的な管理を行う部分であり、接続認証部１０６は、無線通信接続における認証を管理する部分である。また、通信制御部１０５は、電話機能制御部１０２から音声データが入力されると、当該音声データを電波に変調し、無線通信用アンテナ１０４を介して、ヘッドセット２０１へ送信する。また、通信制御部１０５は、ヘッドセット２０１から、無線通信用アンテナ１０４を介して電波を受信すると、当該電波を音声データに復調し、電話機能制御部１０２へ出力する。さらに、接続認証部１０６は、例えば、ボタン１１０を押下されると、問い合わせ信号を無線通信用アンテナ１０４を介してヘッドセット２０１へ送信し、音声認証部１０８へ認証用音声出力を通知する。
【００２５】
音声認証部１０８は、無線通信装置１０３及び音声入力部１０７と接続され、さらに、音声出力部１０９と接続されていてもよい。音声認証部１０８には、後述する認証用音声信号を記憶するメモリが具備されている。この認証用音声信号は、マイク１１２より入力された音声信号や、ダイヤルボタン等によりパターン入力された音声信号、他の装置やインターネット等から取得した音声信号、あらかじめ用意された音声信号でもよい。また、認証用音声信号を使用した履歴情報や、認証用音声信号を使用するためのパスワードなどを格納してもよい。認証用音声信号は、複数格納されていてもよく、音声信号ごとに、接続する無線通信機器の情報などを格納してもよい。例えば、音声認証部１０８は、接続認証部１０６から、認証用音声出力を通知されると、音声出力部１０９へ認証用音声信号を出力する。
【００２６】
ボタン１１０は、無線通信装置１０３と接続され、無線通信を開始するために使用される。このボタン１１０は、無線通信を開始するための専用のボタンでもよいし、ダイヤルボタンやフックボタン、電源スイッチ等でもよい。また、ボタン１１０は、利用者が押下してもよいし、携帯通話の着信などを契機に動作するようにしてもよい。さらに、携帯電話１０１が、折り畳み式の形状であれば、折り畳まれた携帯電話１０１を開いたときに動作するようにしてもよい。
【００２７】
音声入力部１０７は、電話機能制御部１０２、音声認証部１０８及びマイク１１２と接続されている。音声入力部１０７およびマイク１１２は、音声集音のために通常、携帯電話に装備されているマイク部である。音声入力部１０７は、マイク１１２からの入力された利用者の音声を、増幅器やＡ／Ｄ変換器により音声信号に変換し、電話機能制御部１０２または音声認証部１０８へ出力する。
【００２８】
音声出力部１０９は、電話機能制御部１０２及びスピーカ１１１と接続され、さらに、音声認証部１０８と接続されていてもよい。音声出力部１０９およびスピーカ１１１は通話相手の音声を利用者に届けるために通常、携帯電話に装備されているスピーカ部である。音声出力部１０９は、電話機能制御部１０２あるいは音声認証部１０８から音声信号を入力されると、Ｄ／Ａ変換器や増幅器によりスピーカ１１１において出力可能な信号に変換し、スピーカ１１１より音声を出力する。
【００２９】
図２は、本発明の実施の形態１におけるヘッドセットの構成図である。ヘッドセットとは、一般に携帯電話の音声通話をハンズフリーで行えるようにするための装置で、携帯電話と無線通信を通じて音声をやり取りし、利用者が携帯電話を手に持つことなく、第三者と音声通話することを可能にするものである。また、ヘッドセットは利用者の手を利用しない代わりにその本体を耳に掛ける形で利用するため小型軽量化が図られている。従って、必要最小限のボタンまたはスイッチのみ搭載されており、複雑な入出力装置の搭載は難しい。
【００３０】
図に示されるように、ヘッドセット２０１は、音声通話制御部２０２、無線通信装置２０３、無線通信用アンテナ２０４、音声入力部２０７、音声認証部２０８、音声出力部２０９、ボタン２１０、スピーカ２１１及びマイク２１２を具備している。さらに、無線通信装置２０３は、通信制御部２０５、接続認証部２０６を備えている。この他にも、ヘッドセット２０１は、電源スイッチや音量調節ボタン、マイク感度調節ボタンなどが単数または複数具備されていてもよい。
【００３１】
音声通話制御部２０２は、無線通信装置２０３、音声入力部２０７及び音声出力部２０９と接続されている。例えば、音声通話制御部２０２は、ＣＰＵやメモリ等を備えている。音声通話制御部２０２は、入力される利用者の音声を携帯電話１０１へ送信する制御や、携帯電話１０１から通信相手の音声を受信し、利用者へ出力する制御を行う、いわゆる通常のヘッドセットがもつ必要不可欠な部分である。また、音声通話制御部２０２は、音声入力部２０７から音声信号を入力されると、音声信号を無線通信で送信可能な音声データへ変換し、無線通信装置２０３へ出力したり、無線通信装置２０３から音声データを入力されると、音声信号に変換し、音声出力部２０９へ出力したりする。
【００３２】
無線通信装置２０３乃至スピーカ２１１は、無線通信装置１０３乃至スピーカ１１１の各々と同様の要素であり、簡単に説明する。
【００３３】
無線通信装置２０３は、音声通話制御部２０２、無線通信用アンテナ２０４、音声認証部２０８及びボタン２１０と接続されている。無線通信装置２０３に設けられた通信制御部２０５は、音声通話制御部２０２から音声データを入力されると、当該音声データを電波に変調し、無線通信用アンテナ２０４を介して、携帯電話１０１へ送信する。また、通信制御部２０５は、携帯電話１０１から、無線通信用アンテナ２０４を介して電波を受信すると、当該電波を音声データに復調し、音声通話制御部２０２へ出力する。さらに、接続認証部２０６は、例えば、携帯電話１０１から問い合わせ信号を受信すると、音声認証部２０８へ音声認証の状態を問い合わせ、認証されている場合、応答信号を携帯電話１０１へ送信する。
【００３４】
音声認証部２０８は、無線通信装置２０３及び音声入力部２０７と接続され、さらに、音声出力部２０９と接続されていてもよい。音声認証部２０８のメモリには、音声認証部１０８と同じ認証用音声信号が格納されている。この認証用音声信号は、音声認証部１０８と同様の手段により格納されてもよいし、携帯電話１０１から無線通信により取得して格納してもよい。例えば、音声認証部２０８は、音声入力部２０７から入力された音声信号を、後述する判定方法により、認証用音声信号と比較し、認証の判定を行う。そして、接続認証部２０６からの認証問い合わせに対し、認証の結果を出力する。さらに、認証の結果を、音声出力部２０９へ出力してもよい。
【００３５】
ボタン２１０は、無線通信装置２０３と接続されている。ボタン２１０は、無線通信を開始するために使用してもよいし、携帯電話１０１からの接続要求を受け付けるために使用してもよい。
【００３６】
尚、携帯電話１０１、ヘッドセット２０１共に、あらかじめ音声通話機能のために具備されたスピーカ等を音声信号出力部として利用してもよいし、それとは別のスピーカ等を利用してもよい。同様に、あらかじめ音声通話機能のために具備されたマイク等を音声信号入力部として利用してもよいし、それとは別のマイク等を利用してもよい。
【００３７】
これらの構成により、通常のヘッドセットと携帯電話と同様の機能を利用することも可能である。例えば、ヘッドセット２０１は、マイク２１２に入力された利用者の音声を無線通信を通じて携帯電話１０１へ送り、携帯電話１０１は、当該利用者の音声を携帯電話の基地局を介して通話相手に送る。また、携帯電話１０１は、基地局を介して送られてきた通話相手の音声を無線通信を通じてヘッドセット２０１へ送り、ヘッドセット２０１は、当該通話相手の音声をスピーカ２１１を通して利用者へ届ける。
【００３８】
次に、図３及び図４を用いて、本発明の実施の形態１にかかる無線通信の接続方法について説明する。携帯電話１０１とヘッドセット２０１とを無線通信で互いに認識させ、一対一で無線通信を開始する場合の接続方法として、この例では、携帯電話１０１からヘッドセット２０１へ接続要求を行う場合の処理について、説明する。尚、これらの処理は、ヘッドセット２０１から携帯電話１０１へ接続要求を行う時の処理においても、同様に適用することができる。
【００３９】
図３は、携帯電話１０１における、無線通信開始時の接続処理を示すフローチャートである。例えば、携帯電話１０１の電源ＯＮなどにより、この処理は、開始される（Ｓ３０１）。まず、携帯電話１０１は、ボタン１１０などの無線通信開始ボタンが押されているかどうかを確認する（Ｓ３０２）。ボタン１１０が押されていなければ、Ｓ３０２を繰り返し、ボタン１１０が押されることを待ち続ける。ボタン１１０が押された場合は、ヘッドセット２０１と無線通信接続する指示が出されたと判断し、ヘッドセット２０１との無線通信接続を確立するために、無線でヘッドセット２０１へ問い合わせ信号を発信する（Ｓ３０３）。
【００４０】
この問い合わせ信号により、周りに存在する無線通信機器に対して無線で呼びかけを行い、問い合わせ信号に対して無線で応答してもらうことで、互いの存在を認知することができる。応答信号を複数受信した場合、接続したい無線通信機器を選択し、接続手続きに進むことができる。また、問い合わせ信号は一般に、電波の性質上、周囲に存在する不特定多数の無線通信機器に対して発信される。
【００４１】
ボタン１１０を押して問い合わせ信号を発信した後、利用者は使用したいヘッドセット２０１のマイク２１２と携帯電話１０１のスピーカ１１１を近づける。または、予めヘッドセット２０１のマイク２１２と携帯電話１０１のスピーカ１１１を近づけておいてもかまわない。例えば、利用しないときは、携帯電話１０１にヘッドセット２０１を取り付けておいて、利用するときに、無線通信接続完了後、ヘッドセット２０１を取り外して利用してもよい。
【００４２】
携帯電話１０１からヘッドセット２０１へ向けて無線通信により問い合わせ信号が発信されると同時に、携帯電話１０１の音声出力部１０９から認証用音声信号が出力される（Ｓ３０４）。問い合わせ信号発信した後に、認証用音声信号を出力したり、認証用音声信号出力した後に、問い合わせ信号を発信してもよい。この認証用音声信号は、問い合わせ信号が発信されている間、出力されている。また、この認証用音声信号は、無線通信接続を確立したいヘッドセット２０１にのみ到達すればよい。一般に携帯電話１０１のスピーカ１１１は、音声が利用者にのみ届くような構成であるので、問い合わせ信号を発信している時は、携帯電話１０１のスピーカ１１１とヘッドセット２０１のマイク２１２を近づければより確実であるが、携帯電話１０１とヘッドセット２０１を近づけるだけで届くのであれば近づけるだけでもかまわない。この時、認証用音声信号が他のヘッドセットに届かないことが重要となる。
【００４３】
この認証用音声信号は、携帯電話１０１もしくはヘッドセット２０１のスピーカ１１１やマイク２１２の特性が許す範囲で構成され、例えば、同一周波数の単調な音声信号でも良いし、特定の間隔の断続的な音声信号でも良いし、特定のパターンをもった音声信号でも良く、あらゆる無限のパターンが可能である。この認証用音声信号は音声認証部１０８のメモリに登録されており、またヘッドセット２０１の音声認証部２０８のメモリにも同じ音声信号が登録されていることで機能する。また、認証用音声信号を複数登録しておくことができれば、音声信号の種類によって、応答信号を返す相手を選択することも可能となる。
【００４４】
続いて、ヘッドセット２０１からの応答信号を待ち受ける状態に遷移する（Ｓ３０５）。一定時間の間、応答信号を待ち、ヘッドセット２０１から応答信号を受信しなかった場合、接続失敗として接続処理の先頭へ戻る。ヘッドセット２０１から応答信号を受信した場合、問い合わせ信号の発信と、音声信号の出力を停止し、続いて無線通信接続手続き（Ｓ３０６）に進む。また、応答信号にヘッドセット２０１の識別情報などを含み、応答信号受信時に、その識別情報を参照し、接続の可否を判定してもよい。そして、ヘッドセット２０１との無線通信接続を確立して一連の接続手続きを完了する（Ｓ３０７）。
【００４５】
図４は、ヘッドセット２０１における、無線通信開始時の接続処理を示すフローチャートである。例えば、ヘッドセット２０１の電源ＯＮなどにより、この処理は、開始される（Ｓ４０１）。まず、ヘッドセット２０１は、予め問い合わせ信号待ち状態にしておく（Ｓ４０２）。これは、ヘッドセット２０１の電源を投入すると同時に、問い合わせ信号待ち状態に遷移する仕様でもよいし、特定のボタンを押すことで、問い合わせ信号待ち状態に遷移する仕様でもよい。
【００４６】
問い合わせ信号待ち受け状態のヘッドセット２０１は、絶えず無線による問い合わせ信号の有無を確認する（Ｓ４０３）。無線通信による携帯電話からの問い合わせ信号を受信したヘッドセット２０１の接続認証部２０６は、その問い合わせ信号が、ヘッドセット２０１へ向けられた問い合わせ信号かどうか判断するために、音声認証部２０８に認証用音声信号が入力されているかどうかを問い合わせる（Ｓ４０４）。
【００４７】
音声認証部２０８では、音声入力部２０７に入力された音を解析し、予め音声認証部２０８のメモリに登録されている認証用音声信号と一致しているかどうか検証し、一致している場合は接続認証部２０６へ一致していることを出力する。この時、例えば、予め登録されている音声信号がある特定の周波数である場合は、入力されている音声信号の周波数を調べ、これらの周波数がある一定時間以上一致し続けた時に音声信号が一致していると判断すれば良い。また、予め登録された音声信号が一定の間隔の断続的な音声信号であれば、入力されている音声信号がそのパターンと一致しているかを調べればよい。音声認証部２０８は、接続認証部２０６からの問い合わせを契機に音声入力部２０７からの音声信号の入力を待って認証してもよいし、常に、音声信号の入力を待っていてもよい。
【００４８】
音声認証部２０８は、入力されている音声信号が予め登録されていた音声信号と一致しない場合や、一定時間、音声信号を待ち受けた結果、音声信号が入力されない場合は、音声信号が一致していないことを接続認証部２０６へ出力する。
【００４９】
音声信号が一致していると音声認証部２０８から伝えられた場合、接続認証部２０６は、問い合わせ信号がヘッドセット２０１に向けられたものであると判断し、問い合わせ信号に対する応答信号を無線通信で携帯電話に発信する（Ｓ４０５）。このとき、応答信号にヘッドセット２０１の識別情報等を含めてもよい。音声信号が一致していない場合、接続認証部２０６は問い合わせ信号がヘッドセット２０１に向けられたものではないと判断し、問い合わせ信号に対する応答信号を発信せずに、接続処理の先頭へ戻る。
【００５０】
この時、携帯電話１０１の音声出力部１０９と近接しているヘッドセット２０１は一つのみであり、携帯電話１０１から出力されている認証用音声信号を受信できるのはそのヘッドセット２０１のみとなるため、ヘッドセット２０１が周囲に複数個存在したとしても、応答信号を返すことのできるヘッドセット２０１は特定の一つのみとなる。したがって、携帯電話１０１は、特定の一台からのみ応答信号を受け取ることができるので、接続先を選択する手順を経ずに、接続先を特定し接続手続きに進むことができる。
【００５１】
ヘッドセット２０１は、応答信号を発信した後、携帯電話１０１からの接続要求を確認して接続手続き（Ｓ４０６）に進み、携帯電話１０１との通信リンクを確立して一連の接続手続きを完了する（Ｓ４０７）。
【００５２】
この接続処理において、表示装置や、複雑な入力装置を必要とせず、通信を開始するためのボタン一つあれば無線通信接続を確立できるので、たとえば、表示装置を持たないヘッドセットどうしの無線通信接続などでも利用することが可能となる。
【００５３】
さらに、問い合わせ信号を待ち受ける側の無線通信機器に限って言えば、たとえボタン類が一つもなく、利用者がいかなる指示も無線通信機器に与えることができない状況であっても、この方法を利用することで無線通信接続を確立することができる。
【００５４】
その他の発明の実施の形態．
上述の例では、無線通信機器として、携帯電話とヘッドセットを例示し説明したが、これに限らず、音の入出力手段を備えているものであればよい。例えば、テレビやオーディオ機器、ビデオムービー、楽器、ゲーム機等とヘッドフォン、パーソナルコンピュータやＰＤＡ、ＩＣレコーダ等とヘッドセット、電話機の親機と子機などでもよい。さらに、トランシーバ間、ヘッドセット間、携帯電話間など、同じ装置間でもよい。
【００５５】
尚、ここまで本発明の実施形態を述べたが、本発明は上記実施形態のみに限定されるものではなく、請求項に記載の内容を逸脱しない範囲で、上記実施形態とは違った形で実現され得ることは言うまでも無い。
【００５６】
【発明の効果】
本発明によれば、無線通信機器が互いに接続を行う際に、接続要求信号と共に特定の音声信号を出力し、接続要求信号を受信した無線通信機器の中で、かつ音声信号も受信でき、予め登録された音声信号との一致を確認できた無線通信機器のみが、応答信号を返すことで、複数存在する無線通信機器の中から、特定の無線通信機器を容易に選択することができ、また、液晶などの表示装置やキーボードや、タッチパネルなどの入力装置を具備しない装置であっても無線通信接続を確立できるようになる。
【図面の簡単な説明】
【図１】本発明の実施の形態１にかかる携帯電話のブロック図である。
【図２】本発明の実施の形態１にかかるヘッドセットのブロック図である。
【図３】本発明の実施の形態１にかかる接続要求元（携帯電話）の接続手順フローチャートである。
【図４】本発明の実施の形態１にかかる接続要求先（ヘッドセット）の接続手順フローチャートである。
【符号の説明】
１０１  携帯電話本体  １０２  電話機能制御部
１０３  無線通信装置  １０４  無線通信用アンテナ
１０５  通信制御部  １０６  接続認証部
１０７  音声入力部  １０８  音声認証部
１０９  音声出力部  １１０  ボタン
１１１  スピーカ  １１２  マイク
２０１  ヘッドセット本体  ２０２  音声通話制御部
２０３  無線通信装置  ２０４  無線通信用アンテナ
２０５  通信制御部  ２０６  接続認証部
２０７  音声入力部  ２０８  音声認証部
２０９  音声出力部  ２１０  ボタン
２１１  スピーカ  ２１２  マイク
【図１】
2005020220.tif 000003
【図２】
2005020220.tif 000004
【図３】
2005020220.tif 000005
【図４】
2005020220.tif 000006